(57)【要約】      （修正有）【課題】改善された伝送特性を有する差動信号を伝送するためのコネクタ装置を提供する。【解決手段】コネクタとそれぞれに差動信号を伝送するための少なくとも１つの導体ペア１１２を備えるコネクタに接続されたケーブル１０５とを含むコネクタ装置１０１、１０３であって、ケーブルは第１部分１２７を備え、コネクタは第２部分１２９を備え、第２部分において導体ペアは電気コンタクト１１１を備え、導体ペアは第１部分で第１の相互距離（Ｘ）を有し、前記第２部分で第２の相互距離（Ｙ）を有し、第２の相互距離は第１の距離よりも大きく、中間部分１３１は第１部分と第２部分との間に形成され、中間部分において導体ペアの導体の間の距離は、コネクタのインタフェース側端の方向に向かって増加され、導体ペアは第１部分において遮蔽されていないケーブル内で案内され、及び導体ペアは中間部分の少なくとも一部において外部導体１１５によって取り囲まれる。【選択図】図１
2019036538.tif 000002
【特許請求の範囲】
【請求項１】
コネクタと、前記コネクタに接続されたケーブルとを含むコネクタ装置であって、それぞれの前記ケーブルが差動信号を伝送するための少なくとも１つの導体ペアを備え、
前記ケーブルは第１部分を備え、前記コネクタは第２部分を備え、前記第２部分において前記導体ペアは電気コンタクトを備え、
導体は、前記第１部分で第１の相互距離を有し、前記第２部分で第２の相互距離を有し、前記第２の相互距離は第１の距離より大きく、
中間部分は、第１部分と第２部分との間に形成され、中間部分において、導体ペアの導体の間の距離は、前記コネクタのインタフェース側端の方向に向かって増加され、
前記導体ペアは、前記第１部分において遮蔽されていないケーブル内で案内され、及び
前記導体は、前記中間部分の少なくとも一部において、外部導体によって取り囲まれる、コネクタ装置。
【請求項２】
前記外部導体は、前記コネクタ装置のインピーダンスを設置するように配置される、請求項１に記載のコネクタ装置。
【請求項３】
前記導体は、前記ケーブル内で撚られる、請求項１または２に記載のコネクタ装置。
【請求項４】
前記外部導体は、前記ケーブルの方向に向かって剥離領域でシースとして長くなる、請求項１から３のいずれか一項に記載のコネクタ装置。
【請求項５】
前記外部導体は、前記導体を円周上で完全に取り囲むように配置される、請求項１から４のいずれか一項に記載のコネクタ装置。
【請求項６】
前記外部導体は、ペアになる外部導体として形成される、請求項１から５のいずれか一項に記載のコネクタ装置。
【請求項７】
前記外部導体は、少なくとも部分的に、前記導体ペアの導体のための独立的な外部導体として形成されている、請求項１から６のいずれか一項に記載のコネクタ装置。
【請求項８】
前記外部導体は、前記導体の間における伝導スペーサを備え、この伝導スペーサは、導体の進行方向を決定するように特別に配置された、請求項１から７のいずれか一項に記載のコネクタ装置。
【請求項９】
前記第１と第２部分および中間部分のインピーダンスは、導体と外部導体との間の距離の設置、導体の直径の変化、および導体間の距離の変化のうちの少なくとも１つによって、各場合においてその他の部分のインピーダンスに対して調整する、請求項１から８のいずれか一項に記載のコネクタ装置。
【請求項１０】
前記外部導体は、複数の部分からなり、前記複数の部分は、特に、それぞれに対応する非平面の表面輪郭を有する、請求項１から９のいずれか一項に記載のコネクタ装置。
【請求項１１】
前記外部導体は、一体的に成形されるとともに、一つまたは複数の導体を受け取る一つまたは複数のブッシングを備える、請求項１から１０のいずれか一項に記載のコネクタ装置。
【発明の詳細な説明】
【技術分野】
【０００１】
本発明は、コネクタと、コネクタに接続されるケーブルとを備えるコネクタ装置に関する。ケーブルは、それぞれの差動信号を伝送するための少なくとも一つの導体ペアを案内する。
【背景技術】
【０００２】
ドイツ実用新案公開ＤＥ２０２０１５０００７５３Ｕ１には、スリーブ部分を備えるコネクタ装置が開示された。この場合、差動信号を伝送するためのコアペアは、ケーブル中で進行し、コアペアのコアの間は、ケーブル内部において第１相互距離とされている。コアペアの２つのコアは、コネクタ方向のシースケーブル部分から、それらがコネクタの案内部分に入る所まで、中間部分で分離され、それらの間は、第２の相互距離であり、第２の相互距離は、第１の相互距離より大きい。
【０００３】
コアの間の距離の変化に基づいて、差動インピーダンスが変化し、干渉点が現れる可能性がある。
【０００４】
これは、改善の必要がある状況である。
【発明の概要】
【発明が解決しようとする課題】
【０００５】
このような背景に対して、本発明は、改善された伝送特性を有する差動信号を伝送するためのコネクタ装置を提供することを、目的とする。
【課題を解決するための手段】
【０００６】
本発明によれば、前記目的は、特許の請求項１の特徴を有するコネクタ装置によって達成される。
【０００７】
したがって、具体的には以下のようである。
コネクタと、前記コネクタに接続されたコネクタのケーブルとを含むコネクタ装置であって、それぞれの前記ケーブルが差動信号を伝送するための少なくとも１つの導体ペアを備え、前記ケーブルは第１部分を備え、前記コネクタは第２部分を備え、前記第２部分において前記導体ペアは電気コンタクトを備え、導体は、第１部分で第１の相互距離を有し、前記第２部分で第２の相互距離を有し、前記第２の相互距離は第１の距離より大きく、中間部分は、第１部分と第２部分との間に形成され、中間部分において、導体ペアの導体間の距離は、前記コネクタのインタフェース側端の方向に向かって増加され、前記導体ペアは、前記第１部分において遮蔽されていないケーブル内で案内され、及び前記導体は、前記中間部分の少なくとも一部において、外部導体によって取り囲まれる。
【０００８】
本発明の基本的な意趣は、たとえ外部導体がコネクタ装置に対する影響はわずかであるだとしても、外部導体によって、ケーブルからコネクタに遷移する際のインピーダンスの突然の変化に対して補償を行い、またはコネクタ装置におけるインピーダンスが変化する部分での突然の変化（例えば、導体ペアの導体の間の距離の変化による）に対して補償を行うことである。
【０００９】
図面、さらなる従属請求項および明細書を参照すると、有利な配置および改善が自明である。
【００１０】
本発明の一つの改善によれば、導体はケーブル内で撚られる。撚る/撚り合うとは、繊維またはワイヤが互いにねじれ、互いに囲みあって螺旋状に巻かれていることを意味する。電気リードの応用の１つとしては、撚り対線（twisted-pair cable）である。
【００１１】
撚ることにより、導電体の相互影響が低減された。撚ることは、誘導結合の差動モード干渉を低減させた。
【００１２】
本発明の一つの好ましい改善によれば、外導体は、ケーブルの方向に向かって剥離領域でシースとして長くなる。したがって、ケーブルは、ケーブルのシースおよび対応するコネクタの外部導体を介してコネクタに接続することができる。シースと外部導体との間の接続、例えば、圧着接続は、ケーブルとコネクタとの間の遷移部分の電気的特性にわずかな損傷しか与えない。
【００１３】
さらに、中間部分の前にすでに始まった外部導体のため、異なる位置、例えば中間部分での、またはケーブル内の導体から内部導体電気コンタクトへの遷移部分でのインピーダンスの突然の変化を補償することができる。
【００１４】
本発明の一つの好ましい改善によれば、外部導体は、導体を円周上で完全に取り囲むように配置される。このような方式で、導体間の距離が大きくなる中間部分でのインピーダンスの突然の変化を簡単に制御および設置することができる。
【００１５】
本発明の一つの好ましい改善によれば、外部導体はペアになる外部導体として形成される。従って、導体のそれぞれが、独立的な外部導体にガイドさせる。このように、導体ペアの導体は互いにデカップリングされる。
【００１６】
本発明の一つの好ましい改善によれば、外部導体は、導体の間における伝導スペーサを備え、この伝導スペーサは、導体の進行方向（ｃｏｕｒｓｅ）を決定するように特別に配置された。
【００１７】
本発明の一つの好ましい改善によれば、前記第１と第２部分および中間部分のインピーダンスは、導体と外部導体との間の距離の設置、および/または導体の直径の変化、および/または導体間の距離の変化によって、各場合においてその他の部分のインピーダンスに対して調整する。このような手段によって、コネクタ装置の制御が容易になることができる。
【００１８】
本発明の一つの好ましい改善によれば、外部導体は、複数の部分からなり、複数の部分は、特に、それぞれに対応する非平面の表面輪郭を有する。これにより、コネクタ装置の組立が簡単になり、電磁環境から導体を特に効果的にデカップリングし、または電磁漏洩が低減されるため、インピーダンスを特に正確に設置することができる。
【００１９】
例えば、表面輪郭は、ジグザグ形状、特にＷ状またはＶ状の形状であり、各状況で、これらは互いにネガティブ（ｎｅｇａｔｉｖｅ）を形成する。
【００２０】
代わりに、導体遮蔽は一体的に形成されることができるとともに、対応する導体を受け取るブッシングを備える。本実施例は、非常に堅固で、振動の影響または他の機械的負荷の下でも導体の相互結合を確保することができる。
【００２１】
言うまでもなく、上述した特徴と後述する特徴は、本発明の趣旨を逸脱しない範囲において、各都合により特定される組み合わせのみならず、さらに他の組み合わせ又は単独で使用することができる。
【００２２】
実施可能な場合において、前記の配置と改善とを任意に組み合わせることができる。本発明のさらなる可能な構成、進歩および実施には、明示的に言及されていない前記例示的な実施例に関する上述したまたは後述する文章における本発明の特徴の組み合わせも含まれる。特に、当業者は、個々の態様を、本発明の特定の基本的形態への改善または追加として加えてもよい。
【図面の簡単な説明】
【００２３】
本発明は、添付図面の概略図に示された例示的な実施例に基づいて、より詳細に以下に説明される。
【００２４】
【図１】本発明に係るコネクタアセンブリの一実施例を示す縦断面図である。
【００２５】
【図２】本発明に係るコネクタアセンブリの一実施例を示す縦断面図である。
【００２６】
【図３】本発明に係るコネクタアセンブリの一実施例を示す縦断面図である。
【００２７】
図面は、本発明の実施例のさらなる理解を提供することを意図している。図面は、実施例を示し、明細書に合わせて本発明の原理と概念を解釈する。図面に基づいて、他の実施例と多くの前記利点は、明らかになるだろう。図面中の要素は、必ずしもお互いの実際の比率によって表示されない。
【００２８】
図面において、特に断りのない限り、各同一な、機能の同一なまたは役割の同一な要素、特徴と部材は、各例で同一の参照番号を付いている。
【００２９】
以下は、相互の関連と全体に対して説明する。
【発明を実施するための形態】
【００３０】
図１は、本発明に係るコネクタ装置１０１、１０３を備えるコネクタアセンブリ１００を示す。各コネクタ装置１０１、１０３は、ケーブル１０５と、コネクタ１０２または相手コネクタ１０４とを備える。
【００３１】
ケーブル１０５は、コア２１７を有する導体ペア１１２とを備える。導体ペア１１２のコア２１７は、絶縁シースによって互いに絶縁される。さらに、ケーブル１０５は、プラスチックの外側シースを備えて、この外側シースは、コア２１７とケーブル１０５を外界からの影響を受けないように保護している。ケーブル１０５は、端部領域に領域１３３を有し、ここで、ケーブル１０５がコネクタ１０２または１０４にそれぞれに接続される。
【００３２】
ケーブル１０５の導体ペア１１２のコア２１７は、Ｂ-クリンプ（Ｂ−ｃｒｉｍｐ）によってコネクタ１０２および１０４のそれぞれの電気コンタクト１１１にクリンプされる。
【００３３】
電気コンタクト１１１間の距離は、導体ペア１１２のコア２１７間の離離より大きい。対応的に、第１部分１２７におけるケーブル１０５の導体ペア１１２のコア２１７間の距離は、第２部分１２９における電気コンタクト１１１間の距離より小さい。対応的に、中間部分１３１は、Ｂ−クリンプ１０７と第１部分１２７との間に形成され；中間部分において、導体ペア１１２のコア２１７間の距離は、電気コンタクト１１１間の距離まで増加する。
【００３４】
電気コンタクト１１１は、絶縁部材１１３によって互いに電気的に絶縁されている。外部導体１１５は、絶縁部材１１３に対して同心状のように形成され、前記外部導体は、コネクタ１０２または１０４それぞれのハウジングを同時に形成する。したがって、コネクタ内の信号は、部分的に遮蔽されて外部電磁気の影響を受けない。
【００３５】
しかしながら、ケーブル１０５は、遮蔽（ｓｃｒｅｅｎ）または外部導体を含まないので、ケーブル１０５内の電気信号は、発生する電磁妨害を受ける可能性がある。外部導体１１５は、導体ペア１１２のコアと電気コンタクト１１１との間の距離の変化に起因するインピーダンスの変化を少なくとも部分的に補償するように配置される。この点について、外部導体１１５から導体ペア１１２まで、または、対応的に電気コンタクト１１１までの距離に対して、外部導体１１５は、コネクタ１０２または１０４のそれぞれに対して、ケーブル１０５で所在の領域に延長されて適応する。コネクタ装置１０３または対応するコネクタ１０１のインピーダンスの発生可能な突然の変化をさらに補償するために、外部導体１１５が内の表面の直径でさらなる突然の変化があるように設定することができる。
【００３６】
図２は、本発明に係わるコネクタ２０２と、相手コネクタ２０４とを備えるもう一つのコネクタアセンブリ２００を示す。図２によるコネクタ２０２と相手コネクタ２０４は、独立的なハウジング１２５を備える。コネクタ２０２の外部導体１１５とハウジング１２５との間には、ラッチスロット１１７が形成され、前記ラッチスロットを介して、ハウジング１２５を外部導体１１５にラッチする。
【００３７】
各電気コンタクト１１１は、電気コンタクト１１１がコネクタ２０２の絶縁部分１１３において摺動しないことを保証するように、保持リング１１９を備える。コネクタ２０２または相手コネクタ２０４それぞれのハウジング１２５は、追加ラッチ装置１２１を備え、前記追加ラッチ装置１２１によって、コネクタ２０２は、相手コネクタ２０４にラッチする。
【００３８】
前記相手コネクタ２０４は、ラッチ装置１２２を備え、前記ラッチ装置によって、外部導体１１５は、ハウジング１２５にラッチする。
【００３９】
コネクタアセンブリ２００を解放するために、ハンドル１２３を提供して、このハンドルにユーザが相手コネクタ２０４をしっかりと保持して操作することができる。
【００４０】
図３の（Ａ）は、図２によるコネクタを示し、２０１、２０３、２０５、２０７、２０９、２１１、２１３および２１４などの部分が特定されている。
【００４１】
横断面２０１は、図３の（Ｂ）に示される。領域１３３は、コネクタ２０２の外部導体１１５によって取り囲まれる。ケーブル１０５は、コア２１７を有する導体ペア１１２を備える。コア２１７は、絶縁体２１９によって取り囲まれる。
【００４２】
横断面２０３は、図３の（Ｃ）に示される。横断面２０３は、中間部分１３１におけるケーブル１０５を示し、ここでコア２１７間の距離は増加される。外部導体１１５は、コア２１７間の距離の変化によるインピーダンスの突然の変化を補償する。
【００４３】
横断面２０５は、図３の（Ｄ）に示される。横断面２０５は中間部分１３１の端部領域を示し、ここでコア２１７がコネクタ２０２の絶縁部分１１３によって案内される。絶縁部１１３は、４つのチャンバーを形成していることは明らかである。しかしながら、本実施例では、４つのチャンバーのうちの２つのみがコア２１７を有するので、絶縁部分１１３の４つのチャンバーのうち２つは空いた。
【００４４】
より明瞭にするために、外部導体の線影は、図３の（Ｅ）〜図３の（Ｈ）において除去されている。
【００４５】
横断面２０７は、図３の（Ｅ）に示される。横断面２０７は、コア２１７が電気コンタクト１１１に狭まれる位置におけるコネクタ装置２０２を示した。
【００４６】
横断面２０９は、図３の（Ｆ）に示される。図３の（Ｆ）に示された部分は、電気コンタクト１１１を有するコネクタ２０２であり、この電気コンタクト１１１は、絶縁部分１１３の精確調整キャビティ内に導かれている。外部導体１１５は、ハウジング１２５によって機械的に保護される。
【００４７】
横断面２１１は、図３の（Ｇ）に示される。横断面２１１は、インタフェース領域のコネクタアセンブリ２００を示す。対応的に、図３の（Ｇ）は、２つの互いに相対的に同心状のように形成された外部導体１１５を示し、外部の外部導体がコネクタ２０４に分配され、内部の外部導体がコネクタ２０２に分配される。
【００４８】
横断面２１３は、図３の（Ｈ）に示される。横断面２１３は、カプラーにおける電気的接触を示す。
【００４９】
横断面２１４は、コネクタ装置２０４の外側のケーブル１１５を示す。対応的に、横断面２１４において、ケーブル１０５は、２つのコア２１７と1つの絶縁部分とを備える。ケーブル１０５は、プラスチック製のケーブルシースによって保護され、外部の機械的影響または紫外線を防止する。
【００５０】
本発明は、示された実施例、改善と二次変形に限定されない。それぞれに一つの特許請求の範囲に記載の特徴、それぞれ明細書において開示した特徴、及びそれぞれ図面によって示した特徴に関して、本発明は、それらが技術的に達成可能である限り、同時にそれらの特徴の全ての組み合わせを含む。
【００５１】
本発明を好ましい例示的な実施例に基づいて前述で十分な説明をしたが、本発明はこれに限定されるものではなく、様々な方式で修正することができる。
【符号の説明】
【００５２】
１００  コネクタアセンブリ
１０１  コネクタ装置
１０２  コネクタ
１０３  コネクタ装置
１０４  相手コネクタ
１０５  ケーブル
１０７  Ｂ−クリンプ
１０９  絶縁キャビティ
１１１  電気コンタクト
１１２  導体ペア
１１３  絶縁部分
１１５  外部導体
１１７  ラッチスロット
１１９  保持リング
１２１  ラッチ装置
１２２  ラッチ装置
１２３  ハンドル
１２５  ハウジング
１２７  第１部分
１２９  第２部分
１３１  中間部分
１３３  領域
１３５  インタフェース側端
２００  コネクタアセンブリ
２０２  コネクタ
２０４  相手コネクタ
２０１、２０３、２０５、２０７、２０９  横断面
２１１、２１３、２１４  横断面
１１５  外部導体
２１７  コア
２１９  絶縁体
【図１】
2019036538.tif 000003
【図２】
2019036538.tif 000004
【図３】
2019036538.tif 000005
【外国語明細書】
2019036538000001.pdf